(57)【要約】  【課題】側板に幅方向規制部材を固定する際に、幅方向規制部材の回転を防止し、組み立てロスを発生させることのない自動販売機を提供する。  【解決手段】商品搬出装置１１の幅方向規制部材１２の固定用貫通穴の内部に突起部を設け、突起部と固定用ピン１０を圧接固定することによって、幅方向規制部材１２は回転することなく固定用ピン１０に挿入固定されるため、幅方向規制部材１２の側板２への取付けを容易に行うことが可能となり、組み立てロスを発生させることなくより安価で品質の安定した自動販売機を提供することができる。【選択図】図２
2008217401.tif 000002
【特許請求の範囲】
【請求項１】
コラム内に上下方向に延びる複数の略円弧形状のシュートで構成された商品通路を有し、商品通路の下部で商品を排出する商品搬出装置とそれに対向して配置された通路規制板を有する自動販売機において、前記商品搬出装置の幅方向規制部材の固定用貫通穴の内部に突起を設け、前記幅方向規制部材の前記固定用貫通穴内の前記突起と固定用ピンを圧接固定したことを特徴とする自動販売機。
【請求項２】
前記突起は、前記幅方向規制部材の前記固定用貫通穴の端部に形成され、前記固定用貫通穴内の内側から外側に向かって、穴径を小さくする傾斜部分を設けたことを特徴とする請求項１に記載の自動販売機。
【請求項３】
前記幅方向規制部材にボス部を設け、ボス部を前記商品搬出装置に設けられた穴または空間に挿入し前記幅方向規制部材を固定したことを特徴とする請求項１または２に記載の自動販売機。
【発明の詳細な説明】
【技術分野】
【０００１】
本発明は、複数の略円弧形状のシュートによって、断面が蛇行した形状の商品通路を前後方向に複数列配置した自動販売機の商品収納棚に関するものである。
【背景技術】
【０００２】
従来、この種の自動販売機の商品収納棚は、缶、壜、ＰＥＴ容器などの飲料商品を収納することを目的とし、複数の略円弧形状のシュートによって、断面が蛇行した形状の商品通路を前後方向に複数列配置し、その上部には上下方向に複数列の商品投入口が、また、その下部には複数の商品搬出口が設けられた構成となっている（例えば、特許文献１参照）。
【０００３】
図６は、特許文献１に記載された従来の自動販売機の商品収容棚である。図６に示すように従来の自動販売機の商品収容棚は、商品通路２１内に設けられた可動側板２２を商品の全長に合わせ移動させ、側板２３と可動側板２２によって商品通路を構成することで、さまざま全長の商品を商品通路内に収容することができる。また、商品搬出口２４に固定用ピンによって固定された商品搬出装置２５を、固定用ピンおよび側板２６で固定された幅方向規制部材２７によって、側板２３側に偏位して配置させることで、さまざまな全長の商品を正常に搬出することができる。
【特許文献１】特開平８−７７４４５号公報
【発明の開示】
【発明が解決しようとする課題】
【０００４】
しかしながら、上記従来の構成では、幅方向規制部材の取り付け構造が、商品搬出装置を固定用ピンに取り付け、その後、幅方向規制部材を固定用ピンに挿入し、側板に幅方向規制部材の一部を取り付け、固定する構造となっているため、幅方向規制部材を固定用ピンに挿入した後、幅方向規制部材が回転することを防ぎながら、側板に固定する必要があり、非常に組み立てにくい構造となっている。
【０００５】
本発明は、前記従来の発明の課題を解決するもので、幅規制部材を固定用ピンに挿入した後の回転を防止し簡易的に固定することによって、側板への取り付けを容易にすることで、組み立てロスを発生させることなくより安価で品質の安定した自動販売機を提供することができる。
【課題を解決するための手段】
【０００６】
上記従来の課題を解決するために、本発明の自動販売機の商品収容棚は、商品搬出装置の幅方向規制部材の固定用貫通穴の内部に突起を設け、固定用貫通穴内の突起と固定用ピンを圧接固定したものである。
【０００７】
これによって、幅方向規制部材は回転することなく固定用ピンに挿入固定されるため、幅方向規制部材の側板への取り付けを容易に行うことが可能となり、組み立てロスを発生させることなくより安価で品質の安定した自動販売機を提供することができる。
【発明の効果】
【０００８】
本発明の自動販売機の商品収容棚は、幅方向規制部材を回転することなく固定用ピンに挿入固定することで、幅方向規制部材の側板への取り付けを容易に行うことが可能となり、組み立てロスを発生させることなく、より安価で品質の安定した自動販売機を提供することができる。
【発明を実施するための最良の形態】
【０００９】
請求項１に記載の発明は、コラム内に上下方向に延びる複数の略円弧形状のシュートで構成された商品通路を有し、商品通路の下部で商品を排出する商品搬出装置とそれに対向して配置された通路規制板を有する自動販売機において、前記商品搬出装置の幅方向規制部材の固定用貫通穴の内部に突起を設け、前記幅方向規制部材の前記固定用貫通穴内の前記突起と固定用ピンを圧接固定し、前記幅方向規制部材を回転することなく前記固定用ピンに取り付けることで、前記幅方向規制部材の側板への取り付けを容易にできる。
【００１０】
請求項２に記載の発明は、請求項１に記載の発明にさらに、前記突起を前記固定用貫通穴の端部に形成し、前記固定用貫通穴内の内側から外側に向かって、穴径を小さくする傾斜部分を設けたことで、前記固定用ピン挿入時に前記固定用貫通穴の内部の前記突起の前記傾斜部分に前記固定用ピンが案内されて挿入・圧接され、前記幅方向規制部材を回転することなく前記固定用ピンに取り付けることで、前記幅方向規制部材の側板への取り付けを容易にできる。
【００１１】
請求項３に記載の発明は、請求項１または２に記載の発明にさらに、前記幅方向規制部材にボス部を設け、ボス部を前記商品搬出装置に設けられた穴または空間に挿入することで前記幅方向規制部材の回転を防止することで、前記幅方向規制部材の側板への取り付けを容易にできる。
【００１２】
（実施の形態１）
図１は、本発明の実施の形態１における自動販売機の商品収納棚の主要部分の斜視図である。
【００１３】
図１において、自動販売機の商品収納棚１は、左右一対の側板２の間に画成した上下方向の蛇行上の商品通路３およびその上部に商品投入用の商品案内板５と商品案内側板６とを有した商品投入口４、下部出口側に商品搬出用の搬出口７を配備して構成された商品収納路８を前後方向に複数配列されてなる。
【００１４】
ただし、奥行き方向で最も手前に配置される商品収納路８においては商品案内板５および商品案内側板６が存在せず、商品通路３の最上部が商品投入口４の代用となる。
【００１５】
また、各商品収容路８には左右の側板２とほぼ平行で左右方向に移動自在で商品通路３の断面積より全体的に、もしくは幅方向に移動自在に軸支する吊り下げ部以外で部分的に大きい形状を有した幅調整板９が設けられ、収納する商品の全長に応じて左右方向に移動させ適切な幅に設定することが可能となっている。
【００１６】
商品案内板５と商品案内側板６とからなる商品投入口４を有した商品収容路８においては、商品案内側板６の後方に設けられた連結部１８により幅調整板９を挟み込んで連結され、商品案内側板６と幅調整板９とが一体となって横幅方向へ移動自在に商品案内板５に設けられている。
【００１７】
商品案内板５の奥行き方向の最前部は左右両側板２間にわたって略円筒状の形状を有し左右両側板２に保持されている。
【００１８】
商品案内側板６の奥行き方向の最前部は商品案内板５の奥行き方向の最前部に設けられた略円筒状の形状を抱き込む形状で回転自在に、且つ横幅方向へ移動自在に商品案内板５と商品案内側板６とが連結されるとともに、商品案内板５上に商品案内側板６の奥行き方向の後部が当接しているときは横幅方向への移動を阻止し、商品案内側板６の奥行き方向の後部が商品案内板５から離れているときは横幅方向への移動が可能となるよう嵌合部が設けられ、従来と同様の構成となっている。
【００１９】
図２（ａ）は、本実施の形態の商品収容棚における搬出口の詳細図、図２（ｂ）は、通路規制板を外した時の搬出口の詳細図である。図２に示すように、商品収容棚１における搬出口７においては、側板２に取り付けられた固定用ピン１０によって、商品搬出装置１１および幅方向規制部材１２が固定されており、それと対向するように通路規制板１３が配置され側板２ａに固定されている。
【００２０】
ところで、自動販売機の商品収容棚１においては、さまざまな形状や全長の商品を収容する必要があり、全長の短い商品を収容する時には、前述したように幅調整板９を左右方向に移動させ、側板２とで商品通路壁を形成することで、全長の短い商品の場合でも商品通路内で水平状態を保ち、商品を収容することが可能となる。
【００２１】
また、図２に示すように幅方向規制部材１２によって商品搬出装置１１を側板２ａ側に固定することで、幅調整板９によって側板２ａ側に偏位して収容された商品を販売することが可能となっている。
【００２２】
図３（ａ）は、本実施の形態の幅方向規制部材の詳細図、図３（ｂ）は、幅方向規制部材の本体部の固定用貫通穴の部分図、図３（ｃ）は、取り付け構造を説明する図３（ｂ）のＡ−Ａ線断面図である。図３に示すように、幅方向規制部材１２は本体部１４と固定用貫通穴１５と固定用貫通穴１５内に設けられた突起部１６、側板２ｂとの係合部１７によって構成されている。
【００２３】
ここで、固定用貫通穴１５は挿入される固定用ピン１０の外径よりも大きく、反対に突起部１６は固定用ピン１０よりも小さくすることで、固定用貫通穴１５に挿入された固定用ピン１０は突起部１６の弾性を利用し、突起部１６に圧接された状態で挿入されていく。
【００２４】
これによって、幅方向規制部材１２は固定用ピン１０に圧接固定されるため、固定用ピン１０を軸とした幅方向規制部材１２の回転を防止できるため、係合部１７を側板２ｂに容易に取り付けることが可能となり、組み立てロスを発生させることなくより安価で品質の安定した自動販売機の商品収容棚を提供することができる。
【００２５】
図４は、本実施の形態の幅方向規制部材の突起部に設けた傾斜部分の詳細図である。図４に示すように、固定用ピン１０はＡ方向に固定用貫通穴１５に挿入されて行くが、突起部１６に固定用貫通穴１５の内側から外側に向かって、穴径を小さくする傾斜部１９を設けることにより、固定用ピン１０が傾斜部１９によってガイドされるため、徐々に突起部１６を圧接して行くことで圧接する際の抵抗を軽減でき、スムーズな固定用ピン１０の挿入が可能となる。
【００２６】
これにより、幅方向規制部材１２は固定用ピン１０に圧接固定されるため、固定用ピン１０を軸とした幅方向規制部材１２の回転を防止できるため、係合部１７を側板２ｂに容易に取り付けることが可能となり、組み立てロスを発生させることなくより安価で品質の安定した自動販売機の商品収容棚を提供することができる。
【００２７】
図５は、本実施の形態の幅方向規制部材に設けられたボス部の説明図である。前述したように、幅方向規制部材１２の固定用貫通穴１５に挿入された固定用ピン１０は突起部１６の弾性を利用し、突起部１６に圧接された状態で挿入されて行くことで、幅方向規制部材１２が固定用ピン１０に回転することなく固定される。
【００２８】
さらに、図５に示すように、幅方向規制部材１２の本体部１４にボス部２０を設け、商品搬出装置１１に設けた穴または抱き合わせ配置時の空間にボス部２０を挿入することにより、幅方向規制部材１２の固定用ピン１０を軸とした回転を防ぐのと同時に、幅方向規制部材１２の取り付け位置を決定する。
【００２９】
これにより、幅方向規制部材１２の係合部１７の位置も決定されるため、係合部１７を安定かつ容易に側板２ｂに取り付けることが可能となり、組み立てロスを発生させることなくより安価で品質の安定した自動販売機の商品収容棚を提供することができる。
【００３０】
なお、本発明においては、穴に設けた突起とピンを圧接させることにより、幅方向規制部材の回転を防止したが、突起とピンのはまり込み構造を利用して、幅方向規制部材の回転を防止しても同様の効果が得られることは言うまでもない。
【産業上の利用可能性】
【００３１】
以上のように、本発明にかかる自動販売機は、商品収容棚に商品搬出装置を規制固定できるので、商品搬出装置を備えるあらゆる自動販売機の収容棚を規制固定することができる。
【図面の簡単な説明】
【００３２】
【図１】本発明の実施の形態１における自動販売機の商品収納棚の主要部分の斜視図
【図２】（ａ）本発明の実施の形態１における搬出口の詳細図（ｂ）同実施の形態の通路規制板を外した時の搬出口の詳細図
【図３】（ａ）本発明の実施の形態１における幅方向規制部材の詳細図（ｂ）同実施の形態の幅方向規制部材の本体部の固定用貫通穴の部分図（ｃ）取り付け構造を説明する図３（ｂ）のＡ−Ａ線断面図
【図４】本発明の実施の形態１における幅方向規制部材の突起部に設けた傾斜部分の詳細図
【図５】本発明の実施の形態１における幅方向規制部材に設けられたボス部の説明図
【図６】従来の自動販売機の商品収容棚を示す図
【符号の説明】
【００３３】
３    商品通路
１０  固定用ピン
１１  商品搬出装置
１２  幅方向規制部材
１３  通路規制板
１５  固定用貫通穴
１６  突起部（突起）
１７  係合部
１９  傾斜部（傾斜部分）
２０  ボス部
【図１】
2008217401.tif 000003
【図２】
2008217401.tif 000004
【図３】
2008217401.tif 000005
【図４】
2008217401.tif 000006
【図５】
2008217401.tif 000007
【図６】
2008217401.tif 000008